(57)【特許請求の範囲】
【請求項１】
サイディングの内側に通気層を形成するために用いるサイディング用スペーサ集合体であって、
断面視矩形状の長尺なスペーサ前躯体と、
前記スペーサ前躯体の一面全体に亘って形成された粘着層と、
前記粘着層を介して前記スペーサ前躯体に貼り付けられた剥離紙とを備え、
前記スペーサ前躯体には、幅方向全体に亘って前記一面とは反対側の他面から切り込まれた切り込みが長さ方向において所定間隔毎に複数形成されており、
前記粘着層は、前記切り込みによって分断されずに前記長さ方向に連続して繋がっていることを特徴とするサイディング用スペーサ集合体。
【請求項２】
サイディングの内側に通気層を形成するために用いるサイディング用スペーサ集合体の製造方法であって、
断面視矩形状の長尺なスペーサ前躯体を準備する工程と、
粘着層と剥離紙からなる両面粘着テープを、前記スペーサ前躯体の一面の長さ方向全体に亘って貼り付ける工程と、
前記スペーサ前躯体の前記一面とは反対側の他面に、当該スペーサ前躯体の幅方向全体に亘り且つ前記長さ方向において所定間隔毎に、複数の切り込みを入れる工程とを含み、前記粘着層は、前記切り込みによって分断されずに前記長さ方向に連続して繋がっていることを特徴とするサイディング用スペーサ集合体の製造方法。
【発明の詳細な説明】
【技術分野】
【０００１】
本発明は、サイディング（外装材）の内側に通気層を形成するために用いるサイディング用スペーサ集合体及びその製造方法に関する。
【背景技術】
【０００２】
近年の木造住宅の高気密、高断熱化にともなって、室内で発生した湿気が壁体内に滞留し、内部結露を起こすことがある。このような壁体内の内部結露を防止するために、サイディングの内側に通気層を形成する外壁通気工法がある。
【０００３】
サイディングの内側に通気層を形成するためには、通気胴縁などの長尺のスペーサが用いられる。このようなスペーサの取付方法としては、スペーサの一面に両面粘着テープを貼り付け、その両面粘着テープでサイディングの内側にスペーサを貼り付けることが知られている（特許文献１参照）。
【先行技術文献】
【特許文献】
【０００４】
【特許文献１】特開平１１−１２４９１８号公報
【発明の概要】
【発明が解決しようとする課題】
【０００５】
しかしながら、上記特許文献１に記載の技術においては、長尺のスペーサを貼り付ける作業を行う際に、毎回、施工現場で、スペーサを手に取って、両面粘着テープをスペーサに取り付ける必要が生じる。このような作業においては、両面粘着テープをスペーサに貼り付けるときと、両面粘着テープの粘着層を介してスペーサをサイディングの内側に貼り付けるときとで、両面粘着テープの表裏から２回も剥離紙を剥がす必要がある。この剥離紙の剥離作業は、非常に煩わしく手間がかかる。さらに、部分的にスペーサを配置するためにブロック状スペーサを用いたい場合には、スペーサの設置数が増えて一層手間がかかり、スペーサを貼り付ける作業性が極めて低下するという問題が考えられる。
【０００６】
そこで、本発明の目的は、スペーサの貼り付け作業性が向上するサイディング用スペーサ集合体及びその製造方法を提供することである。
【課題を解決するための手段】
【０００７】
本発明のサイディング用スペーサ集合体は、サイディングの内側に通気層を形成するために用いるサイディング用スペーサ集合体であって、断面視矩形状の長尺なスペーサ前躯体と、前記スペーサ前躯体の一面全体に亘って形成された粘着層と、前記粘着層を介して前記スペーサ前躯体に貼り付けられた剥離紙とを備え、前記スペーサ前躯体には、幅方向全体に亘って前記一面とは反対側の他面から切り込まれた切り込みが長さ方向において所定間隔毎に複数形成されており、前記粘着層は、前記切り込みによって分断されずに前記長さ方向に連続して繋がっている。
本発明のサイディング用スペーサ集合体の製造方法は、サイディングの内側に通気層を形成するために用いるサイディング用スペーサ集合体の製造方法であって、断面視矩形状の長尺なスペーサ前躯体を準備する工程と、粘着層と剥離紙からなる両面粘着テープを、前記スペーサ前躯体の一面の長さ方向全体に亘って貼り付ける工程と、前記スペーサ前躯体の前記一面とは反対側の他面に、当該スペーサ前躯体の幅方向全体に亘り且つ前記長さ方向において所定間隔毎に、複数の切り込みを入れる工程とを含み、前記粘着層は、前記切り込みによって分断されずに前記長さ方向に連続して繋がっている。
【０００８】
これによると、サイディング用スペーサ集合体の剥離紙から、一つずつスペーサ（スペーサ前躯体の一部）を剥離し、粘着層を介して、例えばサイディングの内側等の被貼着体に貼り付けることが可能となり、例えばサイディングの内側に通気層を形成するための作業等住宅の施工部材として用いることができる。このため、複数のスペーサを取り付ける施工現場において、毎回、スペーサに両面粘着テープを貼り付けて行う作業性に比して、サイディング用スペーサ集合体の剥離紙からスペーサを剥離して貼り付けを行う作業性の方が、格段に向上する。また、サイディング用スペーサ集合体が棒状に構成されるため、持ち運びし易くなる。さらに、剥離紙上にスペーサが複数列あるものより、剥離紙からスペーサを剥離しやすくなる。また、製作を容易とでき、また、一部のスペーサが不用意に剥離紙から剥落し難くできる。
【発明の効果】
【００１１】
本発明のサイディング用スペーサ集合体及びその製造方法によると、サイディング用スペーサ集合体の剥離紙から、一つずつスペーサ（スペーサ前躯体の一部）を剥離し、粘着層を介して、例えばサイディングの内側等の被貼着体に貼り付けることが可能となり、例えばサイディングの内側に通気層を形成するための作業等住宅の施工部材として用いることができる。このため、複数のスペーサを取り付ける施工現場において、毎回、スペーサ毎に両面粘着テープを貼り付けて行う作業性に比して、サイディング用スペーサ集合体の剥離紙からスペーサを剥離して貼り付けを行う作業性の方が、格段に向上する。また、サイディング用スペーサ集合体が棒状に構成されるため、持ち運びし易くなる。さらに、剥離紙上にスペーサが複数列あるものより、剥離紙からスペーサを剥離しやすくなる。また、製作を容易とでき、また、一部のスペーサが不用意に剥離紙から剥落し難くできる。
【図面の簡単な説明】
【００１２】
【図１】本発明の一実施形態に係るサイディング用スペーサ集合体のスペーサが取り付けられた木造住宅の外壁構造の部分斜視図である。
【図２】図１に示す外壁構造の正面図である。
【図３】本発明の一実施形態に係るサイディング用スペーサ集合体を示しており、（ａ）は、平面図であり、（ｂ）は、正面図である。
【発明を実施するための形態】
【００１３】
以下、本発明の一実施形態に係るサイディング用スペーサ集合体１のスペーサ２が取り付けられた木造住宅の外壁構造１００について、図１，２を参照しつつ以下に説明する。なお、図１及び図２においては、窓枠１１０周辺の外壁構造１００を示している。また、図１においては、外壁構造１００の内部を分かりやすくするために、サイディング１０１の上方部分の一部を省略して描いている。
【００１４】
本実施形態における木造住宅の外壁構造１００は、図１及び図２に示すように、サイディング１０１と、内装材１０２と、サイディング１０１と内装材１０２との間に配置された複数の間柱１０３（図１では１つだけ示す）と、複数の断熱材１０４と、透湿シート１０５と、透湿防水シート１０６と、複数のスペーサ２とを有する。本実施形態の外壁構造１００においては、窓枠１１０周辺部分を示しているため、窓枠１１０も有しているが、特に窓枠１１０を有していなくてもよい。
【００１５】
間柱１０３は、サイディング１０１と内装材１０２との間に配置された複数の柱（不図示）間に配置されている。断熱材１０４は、柱と間柱１０３との間、及び、間柱１０３間に配置されている。なお、本実施形態における断熱材１０４は、繊維系の断熱材、すなわち、グラスウールが採用されているが、発泡系の断熱材（発泡スチロールなど）から構成されていてもよい。
【００１６】
透湿シート１０５は、所定の引張強度を有し、その厚みが０．５ｍｍ以上２．０ｍｍ以下の公知の透湿シートが採用されている。透湿シート１０５は、間柱１０３及び断熱材１０４全体を覆うように配置されており、内装材１０２と厚み方向Ａに対向する。また、透湿シート１０５は、複数の釘やネジ（共に図示せず）によって間柱１０３に固定される。透湿シート１０５の表面全体には、湿気を通過させることが可能な大きさの複数の孔（不図示）が分散して形成されている。
【００１７】
本実施形態においては透湿シート１０５が採用されているが、当該透湿シート１０５に代えて、透湿防水シート、通気シート、防湿シート、防水シートなどの公知のシートを採用してもよい。さらに、透湿シート１０５の材料としては、例えば、不織布、樹脂、木、及び、これらの複合材料のいずれかから構成されたフィルム状、シート状及びボード状のいずれかを採用することが可能である。
【００１８】
透湿防水シート１０６も、所定の引張強度を有し、その厚みが０．５ｍｍ以上２．０ｍｍ以下の公知の透湿防水シートが採用されている。透湿防水シート１０６は、透湿シート１０５との間に間柱１０３及び断熱材１０４を挟む位置に配置され、サイディング１０１と厚み方向Ａに対向する。また、透湿防水シート１０６も、間柱１０３及び断熱材１０４全体を覆うように配置されており、複数の釘やネジ（共に図示せず）によって間柱１０３に固定される。透湿防水シート１０６の表面全体には、雨（大きさが約２０００μｍ）、霧雨（大きさが約１００μｍ）が通過するのを防ぐことができ、水蒸気粒子（０．０００４μｍ）を通過させることができる大きさの複数の孔（不図示）が分散して形成されている。
【００１９】
また、本実施形態においては透湿防水シート１０６が採用されているが、透湿シート、通気シート、防湿シート、防水シートなどの公知のシートを採用してもよい。さらに、透湿防水シート１０６の材料としては、例えば、不織布、樹脂、木、及び、これらの複合材料のいずれかから構成されたフィルム状、シート状及びボード状のいずれかを採用することが可能である。
【００２０】
複数のスペーサ２は、図１及び図２に示すように、厚み方向Ａに関して、透湿防水シート１０６を挟んで間柱１０３と対向して配置され、透湿防水シート１０６（間柱１０３）とサイディング１０１との間に配置されている。これらスペーサ２は、ユーザが、後述のサイディング用スペーサ集合体１の剥離紙４から、一つずつスペーサ２を剥離し、粘着層３（後述する）を介して透湿防水シート１０６に貼り付けている。また、スペーサ２は、サイディング１０１の内側に配置され、当該サイディング１０１の外側から釘又はネジなどで間柱１０３に固定されている。つまり、複数のスペーサ２は、サイディング１０１と透湿防水シート１０６との間に配置されている。これにより、透湿防水シート１０６とサイディング１０１との間には、通気層１０７が構成される。
【００２１】
通気層１０７は、図示しない領域で木造住宅の外部と連通している。このため、内装材１０２側からの湿気を、透湿シート１０５、断熱材１０４、及び透湿防水シート１０６を通過させて通気層１０７を介して外部に排出することができる。また、透湿防水シート１０６が防水性を有しているため、通気層１０７を介して外部から霧雨などが侵入してきたとしても、断熱材１０４内に侵入するのを防止することができる。
【００２２】
ここで、スペーサ２及びサイディング用スペーサ集合体１について、図３を参照しつつ説明する。サイディング用スペーサ集合体１は、図３に示すように、複数のスペーサ２と、各スペーサ２の一面２ａに形成された粘着層３と、剥離紙４とを有する。本実施形態におけるサイディング用スペーサ集合体１は、１０個のスペーサ２を有するが、その個数は２〜９又は１１以上であってもよい。これらスペーサ２は、剥離紙４上において、一側面を互いに当接して一列に配列されている。
【００２３】
剥離紙４は、スペーサ２の列方向Ｄに延在する帯状に形成されており、粘着層３を介してすべてのスペーサ２に貼り付けられている。また、剥離紙４は、粘着層３を介してスペーサ２に貼り付けられた状態において、スペーサ２よりも粘着層３から剥離し易くなるように構成されている。このため、剥離紙４からスペーサ２を剥がしたときに、粘着層３は剥離紙４から剥がれてスペーサ２に貼り付いた状態となる。粘着層３は、各スペーサ２の一面２ａの剥離紙４と対向する領域全体に形成されており、列方向Ｄに隣接するもの同士がそれぞれ繋がっている。このように隣接する粘着層３が繋がっていることで、粘着層３が各スペーサ２の列方向Ｄの端にまで形成されることになる。このため、透湿防水シート６に貼り付けたスペーサ２が脱落しにくくなる。
【００２４】
なお、本実施形態における粘着層３は比較的薄いため、粘着層３にスペーサ２毎に切れ目がなくても、剥離紙４からスペーサ２を１つずつ剥がし引っ張ることで容易に粘着層３を破断してスペーサ２を引き剥がすことができる。このため、各スペーサ２を１つずつ引き剥がし当該スペーサ２に貼り付いた粘着層３を介してサイディング１０１の内側、すなわち、透湿防水シート１０６に貼り付けることができる。
【００２５】
本実施形態におけるスペーサ２は、繊維基材、無機充填材および結合剤を含むシート状の摩擦材（例えば、自動車、産業機械等の動力伝達系のクラッチフェーシング、ブレーキパッド、ブレーキライニング等に使用されているシート状の摩擦材）の破砕物に、熱硬化性樹脂（例えば、フェノール樹脂）を添加撹拌した混合物を熱圧成形して製造されたブロック状の部材である。このような材質から構成されていることで、機械的強度、釘保持性、寸法安定性、耐水性、防腐防蟻性、耐熱性などの特性が優れたものとなっている。なお、スペーサ２の構成材料は、特に限定するものではなく、他の材質から構成されていてもよい。また、本実施形態におけるスペーサ２は、ブロック状とされ、幅Ｗが約４０ｍｍ、長さＬが約４５ｍｍ、厚みＴが約１５ｍｍである。
【００２６】
サイディング用スペーサ集合体１の製造方法について、以下に説明する。まず、１０個のスペーサ２を用意し、これらスペーサ２を互いに当接させた状態で一列に並べる。そして、着層３を２枚の剥離紙４で挟んでなる両面粘着テープの一方の剥離紙４を剥がして、一列に並べた１０個のスペーサ２の一面２ａに両面粘着テープの粘着層３を介して貼り付ける。こうして、サイディング用スペーサ集合体１が製造される。このように、サイディング用スペーサ集合体１を簡単に製造することができるため、製造コストを低減することが可能となる。
【００２７】
変形例として、列方向Ｄに長尺なスペーサ前躯体（すなわち、複数のスペーサ２が繋がったものであって個別にカットされる前のもの）を準備する。この後、スペーサ前躯体の一面に、上述のように両面粘着テープを貼り付ける。その後、スペーサ前躯体の両面粘着テープとは反対側の面から当該スペーサ前躯体に切り込みを入れて複数のスペーサ２を形成し、サイディング用スペーサ集合体１を製造してもよい。これにおいても、サイディング用スペーサ集合体１を簡単に製造することができるため、製造コストを低減することが可能となる。また、このとき、スペーサ２毎の粘着層３が互いに分離するように、粘着層３にも切り込みを入れてもよい。こうすることで、粘着層３が形成されたスペーサ２を剥離紙４から剥離させやすくなる。このため、スペーサ２の貼り付け作業性がより向上する。なお、上述の実施形態においては、隣接するスペーサ２の粘着層３間に切り込みを入れておらず、隣接する粘着層３同士が繋がっている分、サイディング用スペーサ集合体１の製作が容易となる。さらに、粘着層３同士が繋がっていることで、サイディング用スペーサ集合体１の一部のスペーサ２が不用意に剥離紙４から剥落し難くできる。
【００２８】
以上に述べたように、本実施形態のサイディング用スペーサ集合体１は、サイディング用スペーサ集合体１の剥離紙４から、一つずつスペーサ２を剥離し、粘着層３を介してサイディング１０１の内側にある透湿防水シート１０６（被貼着体）に貼り付けることが可能である。このため、サイディング１０１の内側に通気層１０７を形成するための作業の施工部材として用いることができる。サイディング用スペーサ集合体１においては、施工現場で剥離紙を剥がして両面粘着テープをスペーサに貼り付ける作業はなく、剥離紙４からスペーサ２を剥がすだけの作業となる。したがって、複数のスペーサ２を取り付ける施工現場において、毎回、スペーサ２に両面粘着テープを貼り付けて行う作業性に比して、サイディング用スペーサ集合体１の剥離紙４からスペーサ２を剥離して貼り付けを行う作業性の方が、格段に向上する。
【００２９】
サイディング用スペーサ集合体１の１０個のスペーサ２は、剥離紙４上において、互いに当接して一列に配列されている。これにより、サイディング用スペーサ集合体１が棒状に構成される。このため、サイディング用スペーサ集合体１が持ち運びし易くなる。さらに、剥離紙４上にスペーサ２が複数列あるものより、剥離紙４からスペーサ２を剥離しやすくなる。
【００３０】
以上、本発明の好適な実施の形態について説明したが、本発明は上述の実施の形態に限られるものではなく、特許請求の範囲に記載した限りにおいて様々な変更が可能なものである。上述の実施形態におけるサイディング用スペーサ集合体１の粘着層３は、各スペーサ２の一面２ａの剥離紙４と対向する領域全体に形成されているが、当該領域の一部に形成されていてもよい。また、粘着層３は、スペーサ２の一面２ａ全体に形成されていてもよいし、剥離紙４も一面２ａ全体に貼り付けられていてもよい。また、スペーサ２は、剥離紙４上において、２列以上に配列されていてもよい。また、サイディング用スペーサ集合体１の複数のスペーサ２が、互いに離隔して配置されていてもよい。さらに、本発明のスペーサ集合体は、住宅の屋根、軒等作業者が立って作業する部位のスペーサとして有用なものである。すなわち、スペーサ集合体は、サイディング用に限るものではなく、住宅用に使用することができる。
【符号の説明】
【００３１】
１  サイディング用スペーサ集合体（住宅用スペーサ集合体）
２  スペーサ
２ａ  一面
３  粘着層
４  剥離紙
【図１】
0006710532.tif 000002
【図２】
0006710532.tif 000003
【図３】
0006710532.tif 000004